(57)【要約】  本発明は、その巻線高さがその長さよりも大きく、従って平坦である励振コイル（３０）と、第１の励振コイル（３０）が配置され、それが当接し、ポット磁石の方式で外側領域（１１）、底部（１２）、及び内側領域（１３）を含んでその端面上で開口する開口磁性回路を構成し、第１の励振コイルがフレームの内側部（１３）を少なくとも部分的に封入する軟磁性フレーム（１０）と、軸に沿って移動可能に装着され、そのストローク開始位置で、フレーム（１０）の端面開口部の中に下がり、それによってフレーム（１３）の内側部を少なくとも部分的に封入し、少なくともその第１の励振コイル（３０）に対面する側で好ましくは中空円筒形に形成された短絡アーマチュア（４０とを含む、軟磁性フレームを有するトムソンコイルの方式での非常に動的な電磁ドライブに関連し、フレーム（１０）は、少なくとも１．５Ｔの飽和磁束密度及び１０6Ｓ／ｍよりも大きくない有効比導電率を有する軟磁性複合材料又は１又は２以上のシートスタックで完全に又は主として形成され、第１の励振コイル（３０）及び／又はフレーム（１０）は、移動方向に対して垂直に起動作動中に第１の励振コイル（３０）上に発生する少なくとも半径方向の力を少なくとも部分的に吸収するために特にエンクロージャの形態の張力緩和のための少なくとも１つの手段を含み、短絡アーマチュアに対して作用するローレンツ力が、仕事を実行するのに使用される。【選択図】図１
2020501900.tif 000002
【特許請求の範囲】
【請求項１】
第１の励振コイル（３０）、
軟磁性フレーム（１０）、及び
軸に沿って移動可能に装着された短絡アーマチュア（４０）、
を含み、特に軟磁性フレームを有するトムソンコイルの方式で構成された電気力学ドライブ、特に非常に動的な電気力学ドライブであって、
前記フレーム（１０）は、少なくとも１．０Ｔの飽和磁束密度、及び／又は１０6Ｓ／ｍよりも大きくない有効比導電率を有する、
ことを特徴とする電気力学ドライブ。
【請求項２】
前記第１の励振コイル（３０）及び／又は前記フレーム（１０）は、張力緩和のための少なくとも１つの手段を含み、及び／又は
前記励振コイル（３０）は、その長さよりも大きい巻線高さを有し、従って平坦であり、及び／又は
前記励振コイル（３０）は、前記軟磁性フレーム（１０）に配置され、かつそれに対して当接する、
ことを特徴とする請求項１に記載の電気力学ドライブ。
【請求項３】
前記フレームは、外側領域（１１）と、底部（１２）と、内側領域（１３）とを含んで端面開口部を有する開口磁性回路を表し、
前記第１の励振コイルは、前記フレームの前記内側部（１３）を少なくとも部分的に封入し、
そのストローク開始位置での前記短絡アーマチュア（４０）は、前記フレーム（１０）の前記端面開口部の中に下がり、それによって該フレームの前記内側部（１３）を少なくとも部分的に封入し、
前記短絡アーマチュアは、好ましくは、少なくともその前記第１の励振コイル（３０）に対面する側で中空円筒形に形成され、及び／又は
前記フレームは、好ましくは、ポット磁石の方式で構成される、
ことを特徴とする請求項１から請求項２のいずれか１項に記載の電気力学ドライブ。
【請求項４】
前記軟磁性フレームは、軟磁性複合材料及び／又は１又は２以上のシートスタックで完全に又は主として形成されることを特徴とする請求項１から請求項３のいずれか１項に記載の電気力学ドライブ。
【請求項５】
前記短絡アーマチュア（４０）は、円筒ジャケットの形状を有する前記フレームの前記外側（１１）及び内側（１３）領域の間の空間の中に下がり、
その長手軸が、ドライブの移動の方向及び／又は前記コイルの巻線軸に対応する、
ことを特徴とする請求項１から請求項４のいずれか１項に記載の電気力学ドライブ。
【請求項６】
軟磁性複合材料で製造された前記フレーム（１０）は、好ましくは互いに接着的に結合された又は埋め込まれたいくつかの部品及び／又はセグメントから構成され、
前記フレーム（１０）は、少なくとも作動中の該フレーム及び／又はその部品の破断が回避されるという主旨で、引張応力の発生が低減されるように好ましくは構成される、
ことを特徴とする請求項１から請求項５のいずれか１項に記載の電気力学ドライブ。
【請求項７】
ドライブの前記短絡アーマチュア（４０）は、非磁性材料で、好ましくは硬化可能アルミニウム合金で、全体的に又は部分的に形成され、及び／又は
底部側での、すなわち、ストローク開始位置での前記短絡アーマチュアは、前記第１の励振コイル（３０）に対面する該短絡アーマチュア（４０）の側で電気的に良好に伝導する材料、例えば銅、のリングを有し、
前記リングは、好ましくは、前記短絡アーマチュアの中に、特に前記非磁性材料の中に埋め込まれ、及び／又は該短絡アーマチュアと密着的に及び／又は着実に接続される、
ことを特徴とする請求項１から請求項６のいずれか１項に記載の電気力学ドライブ。
【請求項８】
前記リングの前記比導電率は、純銅の少なくとも５０％（％ＩＡＣＳ）であり、及び／又は
前記リングは、純銅又は銅又はアルミニウム合金又は銅ベースの複合材料で製造される、
ことを特徴とする請求項７に記載の電気力学ドライブ。
【請求項９】
前記リングは、少なくともｌ＝ｓｑｒｔ（ｔ*ｒｈｏ／ｐｉ*μ）の移動の方向の拡張を完全に又は主として有し、
ｔは、適正起動作動中の前記励振コイル内の電流の半値幅であり、ｒｈｏは、前記リングの比電気抵抗であり、ｐｉは、円周率であり、μは、磁場定数である、
ことを特徴とする請求項７又は請求項８に記載の電気力学ドライブ。
【請求項１０】
前記短絡アーマチュアは、硬化状態で純銅の＞２５％（％ＩＡＣＳ）の比導電率を有する硬化可能アルミニウム合金で全体的又は部分的に形成されることを特徴とする請求項１から請求項９のいずれか１項に記載の電気力学ドライブ。
【請求項１１】
コンデンサ放電を用いて少なくとも部分的に作動されることを特徴とする請求項１から請求項１０のいずれか１項に記載の電気力学ドライブ。
【請求項１２】
前記コンデンサの放電は、１又は２以上の半導体スイッチを切り換えることによって達成され、
前記半導体スイッチは、好ましくは、サイリスタである、
ことを特徴とする請求項１１に記載の電気力学ドライブ。
【請求項１３】
前記半導体スイッチは、飽和インダクタンスにより、該飽和インダクタンスが初期電流上昇率ｄｌ／ｄｔを十分に制限するような寸法を有するという点で、前記作動中に損傷することから保護されることを特徴とする請求項１２に記載の電気力学ドライブ。
【請求項１４】
電気力学ドライブが、持ち上げ磁石を含む又はそのような持ち上げ磁石上で作動され、
好ましくは前記フレーム（１０）の一部によって、例えば、前記底部（１２）によって形成される前記持ち上げ磁石のアーマチュアが、好ましくは、起動作動中に前記短絡アーマチュア（４０）にそれを加速するために主として弾性衝撃を用いて衝撃を伝達し、
コンデンサ放電が、好ましくは、前記第１の励振コイル（３０）を通じて前記弾性衝撃と同期して実施される、
ことを特徴とする請求項１０から請求項１２のいずれか１項に記載の電気力学ドライブ。
【請求項１５】
起動作動中に前記励振コイル（３０）に印加される最高電圧が、６００Ｖよりも高くなく、好ましくは５００Ｖよりも高くなく、より好ましくは４５０Ｖよりも高くなく、又は
起動作動中に前記励振コイル（３０）に印加される前記最高電圧は、１ｋＶと２ｋＶの間にある、
ことを特徴とする請求項１から請求項１４のいずれか１項に記載の電気力学ドライブ。
【請求項１６】
前記フレーム（１０）の少なくとも主要部が、１０5Ｓ／ｍ未満、好ましくは１０4Ｓ／ｍ未満の有効比導電率を有することを特徴とする請求項１から請求項１５のいずれか１項に記載の電気力学ドライブ。
【請求項１７】
前記フレーム（１０）の材料が、＞１．５Ｔ、好ましくは＞１．７５Ｔ、より好ましくは＞１．９Ｔの飽和磁束密度を完全に又は主として有することを特徴とする請求項１から請求項１６のいずれか１項に記載の電気力学ドライブ。
【請求項１８】
前記第１の励振コイル（３０）は、中実の個々の導体の代わりに、巻線が、互いに対して絶縁されたいくつかの個々の導体のストランドの方式で形成されるという点で、及び／又は平坦ワイヤが使用されるという点で、表皮効果の影響を低減するように設計されることを特徴とする請求項１から請求項１７のいずれか１項に記載の電気力学ドライブ。
【請求項１９】
前記第１の励振コイル（３０）は、少なくとも３０％、好ましくは少なくとも４０％は、より好ましくは少なくとも５０％、更により好ましくは少なくとも６０％の銅充填度を有することを特徴とする請求項１から請求項１８のいずれか１項に記載の電気力学ドライブ。
【請求項２０】
前記第１の励振コイルは、埋め込まれ、かつこれに加えて繊維補強によって起動作動中に作用する（ローレンツ）力に対して張力緩和され、及び／又は
前記張力緩和は、前記フレーム（１１）の前記外側領域内で半径方向に繊維強化複合材料を用いて前記コイルの円筒形エンクロージャ内で達成される、
ことを特徴とする請求項１から請求項１９のいずれか１項に記載の電気力学ドライブ。
【請求項２１】
前記張力緩和は、エンクロージャの形態に形成され、かつ好ましくはドライブを少なくとも部分的に周方向に封入するエンクロージャにあり、
７００ＭＰａよりも大きく、好ましくは１４００ＭＰａよりも大きい引張強度を有する材料、及び／又は繊維複合材料、及び／又はマルエージング鋼のエンクロージャが好ましくは使用され、及び／又は
前記エンクロージャは、好ましくは、ドライブの移動の軸にその軸が対応する中空円筒の形状を有し、
前記エンクロージャは、好ましくは、前記フレームの底部側で、すなわち、前記底部（１２）の側で閉じられる、
ことを特徴とする請求項１から請求項２０のいずれか１項に記載の電気力学ドライブ。
【請求項２２】
前記第１の励振コイル（３０）へのリードが、捻られたものであり、及び／又は
前記第１の励振コイル（３０）への前記リードは、同軸ケーブルの方式で閉じた外側及び内側導体で形成され、それは、好ましくは、回転対称に設計され、及び／又は
前記第１の励振コイル（３０）への前記リードは、いずれの実質的なクリアランスもなく互いに対してもたれかかる平坦ワイヤとして形成される、
ことを特徴とする請求項１から請求項２１のいずれか１項に記載の電気力学ドライブ。
【請求項２３】
繊維複合材料から構成され、かつ炭素繊維の第１の織物、１又は２以上の電気絶縁材料、例えば、ガラス、ＨＰＰＥ、又はアラミド繊維の第２の織物、並びにプラスチック母材を含む好ましくは実質的に円筒形のエンクロージャを含み、
いわゆるトロイダル磁心の方式で、前記電気絶縁織物は、交替する電磁場によって引き起こされる渦電流を減衰させるために炭素繊維織物の巻線間の絶縁中間層として使用される、
ことを特徴とする請求項１から請求項２２のいずれか１項に記載の電気力学ドライブ。
【請求項２４】
前記短絡アーマチュアによって駆動され、かつ前記フレーム内の開口部をその後端が通過するピストンを含み、かつ該ピストンの該後端上にリセット力を及ぼす該短絡アーマチュア及び該ピストンのためのリセットデバイスを含み、
前記リセットデバイスは、好ましくは、前記短絡アーマチュアから離れる方向に向く前記フレームの側に配置され、及び／又は前記ピストンの前記後端のための滑り軸受を含む、
ことを特徴とする請求項１から請求項２３のいずれか１項に記載の電気力学ドライブ。
【請求項２５】
前記ピストンの前記後端は、軟磁性材料で形成され、及び／又は
前記リセットデバイスは、前記リセット力を生成する１又は２以上の永久磁石を含み、
前記リセットデバイスは、好ましくは、磁性回路を形成する複数の永久磁性要素及び／又は永久磁性領域の配置を含み、該磁性回路は、前記ピストンが戻る時に該ピストンの前記後端が該配置内の切り欠きの中に益々移動するという点で益々閉じられ、
前記配置は、好ましくは、中空円筒の形状を有する、
ことを特徴とする請求項２４に記載の電気力学ドライブ。
【請求項２６】
コンデンサアセンブリ及びスイッチを含み、
前記スイッチを閉じることにより、前記コンデンサアセンブリの放電が、前記励振コイルを通じて達成され、それによって前記短絡アーマチュア及び前記ピストンは、それらのストローク開始位置から出るように加速される、
ことを特徴とする請求項２４又は請求項２５に記載の電気力学ドライブ。
【請求項２７】
請求項１から請求項２６のいずれか１項に記載の電気力学ドライブ、
を含むことを特徴とする釘締めデバイス。
【請求項２８】
少なくとも１つのコンデンサと、
少なくとも１つの電気化学エネルギストレージデバイスと、
少なくとも１つのスイッチングコンバータと、
少なくとも１つのスイッチと、
ピストンと、
短絡アーマチュア及びピストンのためのリセットデバイスと、
を更に含み、
釘を締結するために、前記コンデンサは、最初に、前記スイッチングコンバータを用いて前記電気化学エネルギストレージデバイスからの電気エネルギで充電され、その時点で、前記スイッチは、励振コイルを通じて該コンデンサの放電を達成するために閉じられ、その時点で、前記短絡アーマチュア及び前記ピストンは、それらのストローク開始位置から出るように加速され、該ピストンは、該釘を打ち込むのに使用され、その後に、前記リセットデバイスは、該ピストン及び該短絡アーマチュアを該ストローク開始位置の中に戻すのに使用される、
ことを特徴とする請求項２７に記載の手持ち式釘締めデバイス。
【請求項２９】
適正起動作動中に、前記電気力学ドライブは、該電気力学ドライブの容積に各々基づいて１００ｋＮ／ｌよりも大きい、好ましくは２００ｋＮ／ｌよりも大きい、より好ましくは３００ｋＮ／ｌよりも大きい最大力密度を有することを特徴とする請求項２７又は請求項２８に記載の釘締めデバイス。
【請求項３０】
適正起動作動中に、前記電気力学ドライブは、力最大値で最大力密度を有することを特徴とする請求項２７から請求項２９のいずれか１項に記載の手持ち式釘締めデバイス
【請求項３１】
ドライブをリセットする時に、すなわち、短絡アーマチュア（４０）及びピストンをそれらのそれぞれのストローク開始位置の中に戻す時に短絡アーマチュア（４０）と第１の励振コイル（３０）との間の機械的接触が防止されるような追加デバイスが形成される又は他にそのような追加デバイスを含み、好ましくは、特にフレームを通過するスクリューの形態の該短絡アーマチュア（４０）及び／又は該ピストンのための調節可能なストップが与えられることを特徴とする請求項２７から請求項３０のいずれか１項に記載の手持ち式釘締めデバイス。
【請求項３２】
締結エネルギ、特に、１又は２以上のコンデンサを充電することによって達成可能な該締結エネルギは、≧１０Ｊ、好ましくは≧１００Ｊ、好ましくは≧２００Ｊであることを特徴とする請求項２７から請求項３１のいずれか１項に記載の手持ち式釘締めデバイス。
【請求項３３】
電解コンデンサ、又はフィルム又はホイルコンデンサを含み、
そのハウジングが、好ましくは、締結デバイス自体のハウジングによって少なくとも部分的に形成され、前記コンデンサのリールが、従って、それ自体の完全なハウジングを持たない、
ことを特徴とする請求項２７から請求項３２のいずれか１項に記載の手持ち式釘締めデバイス。
【請求項３４】
締結デバイスの前記ハウジングは、前記リールの領域では金属性であり、かつ好ましくはアルミニウム合金で製造され、及び／又は
前記リールの前記領域では、締結デバイスの前記ハウジングは、特にヒートシンクの方式で構造化された面を有する、
ことを特徴とする請求項３３に記載の手持ち式釘又はボルト締めデバイス。
【請求項３５】
電気化学エネルギストレージデバイスが、蓄電池であり、及び／又は
少なくとも１つスイッチが、半導体スイッチ、特にサイリスタである、
ことを特徴とする請求項２７から請求項３４のいずれか１項に記載の手持ち式釘締めデバイス
【請求項３６】
請求項１から請求項２６の１又は２以上に記載の電気力学ドライブによって駆動される、
ことを特徴とする電気ハンマー。
【請求項３７】
その衝撃機構が、請求項１から請求項２６の１又は２以上に記載の電気力学ドライブによって駆動される又はそのようなドライブによって形成される、
ことを特徴とする衝撃ボール盤。
【請求項３８】
請求項１から請求項２６の１又は２以上に記載の電気力学ドライブ、
を含むことを特徴とするアーク故障保護デバイス。
【請求項３９】
少なくとも１つの電気絶縁板及び少なくとも１つの金属導電ボルトを更に含み、
前記電気力学ドライブは、外部手段による偶発的アークの検出が、前記ボルトが電力を該偶発的アークから引き出すために前記電気絶縁板を突破して単相又は多相短絡を達成するように該電気力学ドライブによって加速されるという事実に至るように起動される、
ことを特徴とする請求項３８に記載のアーク故障保護デバイス、
【請求項４０】
電気スイッチを開くのに使用される請求項１から請求項２６の１又は２以上に記載の電気力学ドライブ、
を含むことを特徴とする電気スイッチ。
【請求項４１】
請求項４０に記載の電気スイッチを含む短絡電流制限器であって、
外部手段による短絡の検出の結果として、電気力学ドライブが、該スイッチを開くように起動され、
１又は２以上のインダクタンス及び／又はヒューズが、前記電気スイッチと並列に電気的に接続される、
ことを特徴とする短絡電流制限器。
【請求項４２】
請求項４０又は請求項４１に記載のスイッチを含む直流回路を分離するための混成スイッチであって、
２つの並列電流路を含み、
第１の電流路は、オフに切り換えられる電流が、第２の半導体スイッチを含む第２の電流路に主として方向を変えるという主旨で、第１の半導体スイッチを用いて遮断することができ、
前記第１の半導体スイッチは、前記第２の半導体スイッチよりも低い遮断容量及び小さい直列抵抗を有し、
混成スイッチが、前記第１の半導体スイッチと直列にかつ前記第２の半導体スイッチと並列に接続され、
前記半導体スイッチは、好ましくはそれ自体が直列及び並列接続の形態のいくつかの個々の半導体スイッチから構成される、
ことを特徴とする混成スイッチ。
【発明の詳細な説明】
【技術分野】
【０００１】
本発明は、電気力学ドライブに関する。
【背景技術】
【０００２】
様々な技術分野において、電磁ドライブがこれらの分野で望ましくないので、点火式又は同じく空気式デバイスが使用されている。電気ドライブに対する除外判断基準は、特に、
−用途に基づく駆動質量又は駆動容積当たりの不十分な力及び／又は作動容量、
−いわゆるトムソンコイル及び同じくレールガンのような非常に動的な電気直接ドライブでのそれらの高い配線費用及び／又は低すぎる効率、
を含む。
【０００３】
これは、様々な例によって例証される：
−例えばピストンが釘を打ち込むために引火性ガス混合物又は推進装薬の燃焼に起因して加速される釘締めデバイス及びここでは特に手持ち式釘締めデバイス、
−偶発的なアークからエネルギを引き出すために火工動電駆動式金属ボルトが絶縁板を突破して短絡を生成するアーク故障保護デバイス、
−短絡電流が金属舌状部の経路から並列に接続されたヒューズ又はスロットルに向きを変えるように点火装薬が金属舌状部を破壊する短絡電流制限器。
【０００４】
電気力学ドライブ（electrodynamic drive）を有する釘締めデバイスは、ＵＳ  ６，８３０，１７３  Ｂ２から公知である。
【０００５】
最も近い従来技術は、ＡＢＢの特許出願ＷＯ２０１５１７２８２４  Ａ１である。この出願は、１次コイルを有し、かつ磁束集線装置が１次コイルを取り囲むトムソンコイルに基づくアクチュエータを示している。磁束集線装置は、軟磁性又は軟強磁性材料、例えば、鉄、磁性鋼、又はＰｅｒｍａｄｙｎｅのような材料から構成される。
【先行技術文献】
【特許文献】
【０００６】
【特許文献１】ＵＳ  ６，８３０，１７３  Ｂ２
【特許文献２】ＷＯ２０１５１７２８２４  Ａ１
【発明の概要】
【発明が解決しようとする課題】
【０００７】
本発明の目的は、従って、対応する従来技術と比較してより高い力定数及び／又はより高い電気効率を達成する及び／又はより高い容積固有又は重量固有の仕事を実行することができる（非常に動的な）電気ドライブを見出すことにある。
【課題を解決するための手段】
【０００８】
この目的は、請求項１に記載のドライブによって解決される。本発明の好ましい態様は、従属請求項の主題である。
【０００９】
本発明は、第１の励振コイルと、軟磁性フレームと、軸に沿って移動可能に装着された短絡アーマチュアとを含む電気力学ドライブを含む。
【００１０】
ドライブは、フレームが、少なくとも１．０Ｔの飽和磁束密度及び／又は１０6Ｓ／ｍよりも大きくない有効比導電率を有し、好ましくは、第１の励振コイル及び／又はフレームが、張力緩和のための少なくとも１つの手段を含むことを特徴とする。飽和磁束密度は、材料の微分透磁率ｄＢ／ｄｈが磁場定数に等しくなり、従って、無次元相対透磁率μrが磁気飽和の結果として値μr＝１を有する磁束密度である。
【００１１】
特に、これは、特に軟磁性フレームを有するトムソンコイルの方式で構成された非常に動的な電気力学ドライブである。
【００１２】
１つの可能な実施形態では、励振コイルは、その長さよりも大きい巻線高さを有し、従って平坦である。
【００１３】
１つの可能な実施形態では、励振コイルは、軟磁性フレームに配置され、かつそれに対して当接する。
【００１４】
１つの可能な実施形態では、フレームは、外側領域、底部、及び内側領域を含んでその端面で開口する開口磁性回路を表し、第１の励振コイルは、フレームの内側部を少なくとも部分的に封入し、そのストローク開始位置での短絡アーマチュアは、フレームの端面開口部の中に下がり、それによってフレームの内側部を少なくとも部分的に封入する。
【００１５】
１つの可能な実施形態では、短絡アーマチュアは、従って、少なくとも１つのその第１の励振コイルに対面する側で中空円筒形に形成され、及び／又はフレームは、ポット磁石の方式で構成される。
【００１６】
１つの可能な実施形態では、軟磁性フレームは、完全に又は主として軟磁性複合材料及び／又は１又は２以上のシートスタックで形成される。
【００１７】
本発明は、従って、特に、
−その巻線高さがその長さよりも大きく、従って平坦である第１の励振コイルと、
−第１の励振コイルが配置され、それが当接し、特にポット磁石の方式で外側領域、底部、及び内側領域を含んでその端面で開口する開口磁性回路を表し、第１の励振コイルがフレームの内側部を少なくとも部分的に封入する軟磁性フレームと、
−その第１の励振コイルに対面する側で好ましくは中空円筒形に形成され、軸に沿って移動可能に装着され、かつそのストローク開始位置でフレームの端面開口部の中に下がり、それによってフレームの内側部を少なくとも部分的に封入する短絡アーマチュアと、
を含む、軟磁性フレームを有するトムソンコイルの方式で構成された電気力学ドライブ、特に非常に動的な電気力学ドライブを含み、フレームが、少なくとも１．０Ｔ、好ましくは、少なくとも１．３Ｔ、特に好ましくは、少なくとも１．５Ｔの飽和磁束密度、並びに１０6Ｓ／ｍよりも大きくない有効比導電率を有する軟磁性複合材料及び／又は１又は２以上のシートスタックで完全に又は主として形成され、第１の励振コイル及び／又はフレーム）が、特にエンクロージャの形態での張力緩和のための少なくとも１つの手段を含むと規定される。
【００１８】
張力緩和は、好ましくは、移動方向に垂直に起動する作動中に第１の励振コイル上に発生する少なくとも半径方向の力を少なくとも部分的に吸収する。電気力学ドライブでは、短絡アーマチュアに作用するローレンツ力は、好ましくは、仕事を実行するのに使用される。
【００１９】
１つの可能な実施形態では、短絡アーマチュアがその中に下がるフレームの外側及び内側領域間の空間は、円筒ジャケットの形状を有し、その長手軸は、ドライブの移動とコイルの巻線軸との方向に対応する。
【００２０】
１つの可能な実施形態では、軟磁性複合材料で製造されたフレームは、いくつかの部品及び／又はセグメントから構成される。いくつかの部品及び／又はセグメントは、互いに接着的に結合する又は埋め込むことができる。
【００２１】
フレームは、好ましくは、作動中のフレーム及び／又はその部品の破断が回避されるという主旨で少なくとも引張応力の発生が低減されるようにいくつかの部品及び／又はセグメントから構成される。
【００２２】
１つの可能な実施形態では、ドライブの短絡アーマチュアは、全体的又は部分的に非磁性材料で、好ましくは導電性及び非磁性材料で、特に硬化可能アルミニウム合金で形成される。
【００２３】
１つの可能な実施形態では、その底部側、すなわち、ストローク開始位置での短絡アーマチュアは、電気的に良好に伝導する材料、例えば、銅のリングを第１の励振コイル（３０）に対面する短絡アーマチュア（４０）の側で有する。
【００２４】
好ましくは、リングは、短絡アーマチュアの中に及び特に短絡アーマチュアの非磁性材料の中に埋め込まれ、及び／又は短絡アーマチュアと密接に及び／又は確実に接続される。
【００２５】
１つの可能な実施形態では、リングの比導電率は、純銅の少なくとも５０％（％ＩＡＣＳ）に達する。
【００２６】
リングは、例えば、純銅で、又は銅合金又はアルミニウム合金又は銅ベースの複合材料で製造することができる。
【００２７】
１つの可能な実施形態では、リングは、完全に又は主として少なくともｌ＝ｓｑｒｔ（ｔ*ｒｈｏ／ｐｉ*μ）の移動方向の拡張を有し、ｔは、適正起動作動中の励振コイル内の電流の半値幅であり、ｒｈｏは、リングの比電気抵抗であり、ｐｉは、円周率であり、μは、磁場定数である。
【００２８】
１つの可能な実施形態では、短絡アーマチュア及び／又は短絡アーマチュアによって駆動されるピストンは、より好ましくは硬化状態で存在する硬化可能アルミニウム合金で全体的又は部分的に形成される。
【００２９】
１つの可能な実施形態では、短絡アーマチュア及び／又は短絡アーマチュアによって駆動されるピストンは、硬化状態で純銅の＞２５％（％ＩＡＣＳ）の比導電率を有する硬化可能アルミニウム合金で全体的又は部分的に形成される。
【００３０】
１つの可能な実施形態では、電気力学ドライブは、コンデンサ放電を用いて少なくとも部分的に作動される。好ましくは、ドライブを起動するために、少なくとも１つのコンデンサは、第１の励振コイルを通じて放電される。
【００３１】
好ましくは、コンデンサ放電は、１又は２以上の半導体スイッチを切り換えることによって達成され、半導体スイッチは、好ましくはサイリスタである。
【００３２】
半導体スイッチは、それと直列に接続された飽和インダクタンスにより、飽和インダクタンスが初期電流上昇率ｄｌ／ｄｔを十分に制限するような寸法を有するという点で、作動中に破損することから保護することができる。
【００３３】
ドライブは、好ましくは、少なくとも１つのコンデンサを有するコンデンサアセンブリを含む。コンデンサは、好ましくは、１又は２以上の電解コンデンサ、及び／又はホイル及び／又はフィルムコンデンサである。好ましくは、コンデンサアセンブリは、少なくとも１つのホイル及び／又はフィルムコンデンサを含む。
【００３４】
コンデンサアセンブリ、好ましくは、０．１ｋＪと１０ｋＪの間、より好ましくは、０．３ｋＪよりも大きいエネルギを格納する。
【００３５】
コンデンサアセンブリは、好ましくは、０．１ｍＦと２０ｍＦの間のキャパシタンス、及び／又は０．１ｍＯｈｍと１００ｍＯｈｍの間の電気直列抵抗を有する。
【００３６】
１つの可能な実施形態では、電気力学ドライブは、持ち上げ磁石を含むか又はそのような持ち上げ磁石上で作動させることができ、起動作動中に、例えば、フレームの一部、例えば底部それ自体で形成することができる持ち上げ磁石のアーマチュアは、短絡アーマチュアに衝撃をそれを加速するために主として弾性衝撃を用いて伝達し、コンデンサ放電は、第１の励振コイルを通じて弾性衝撃と同期して実施される。
【００３７】
１つの可能な実施形態では、起動作動中に励振コイルに印加される最高電圧は、６００Ｖよりも高くなく、好ましくは、５００Ｖよりも高くなく、より好ましくは、４５０Ｖよりも高くない。この場合に、電解コンデンサは、好ましくは、ドライブを作動するのに使用される。
【００３８】
１つの可能な実施形態では、起動作動中に励振コイルに印加される最高電圧は、１ｋＶと２ｋＶの間にある。それにより、より良好な効率を達成することができる。この場合に、ホイル及び／又はフィルムコンデンサは、好ましくは、ドライブを作動するのに使用される。
【００３９】
１つの可能な実施形態では、フレームの少なくとも主要部は、１０5Ｓ／ｍ未満、好ましくは、１０4Ｓ／ｍ未満の有効比導電率を有する。
【００４０】
１つの可能な実施形態では、フレームの材料は、飽和磁束密度Ｂｓ＞１．５Ｔ、好ましくは、Ｂｓ＞１．７５Ｔ、より好ましくは、Ｂｓ＞１．９Ｔを完全に又は主として有する。
【００４１】
１つの可能な実施形態では、第１の励振コイルは、中実の個々の導体の代わりに、巻線が、互いに対して絶縁されたいくつかの個々の導体のストランドの方式で形成されるという点で、及び／又は平坦ワイヤが使用されるという点で表皮効果の影響を低減するように設計される。
【００４２】
１つの可能な実施形態では、第１の励振コイルは、少なくとも３０％、好ましくは、少なくとも４０％、より好ましくは、少なくとも５０％、更により好ましくは、少なくとも６０％の銅充填度を有する。
【００４３】
特に、銅充填度は、７０％と８５％の間にある。
【００４４】
１つの可能な実施形態では、第１の励振コイルは、埋め込まれ、かつこれに加えて繊維補強により、起動作動中に作用する（ローレンツ）力に対して張力緩和される。
【００４５】
１つの可能な実施形態では、張力緩和は、フレームの外側領域内に繊維強化複合材料を有するコイルの円筒形エンクロージャの形態で達成される。
【００４６】
１つの可能な実施形態では、張力緩和は、エンクロージャによって形成され、かつ好ましくはドライブ及び／又はフレームをその円周の周りで少なくとも部分的に取り囲むエンクロージャにある。
【００４７】
エンクロージャは、好ましくは、７００ＭＰａよりも大きい、好ましくは、１４００ＭＰａよりも大きい引張強度を有する材料で製造される。
【００４８】
１つの可能な実施形態では、繊維複合材料及び／又はマルエージング鋼をエンクロージャに対して使用することができる。
【００４９】
１つの可能な実施形態では、エンクロージャは、その軸がドライブの移動の軸に対応する中空円筒の形状を有する。エンクロージャは、例えばポットと同様に、底部側で、すなわち、フレーム底部の側面上で閉じることができる。これに代えて、エンクロージャは、フレームの底部の側面上で開くことができる。
【００５０】
１つの可能な実施形態では、第１の励振コイルへのリードは捻られる。これに代えて又はこれに加えて、第１の励振コイルへのリードは、同軸ケーブルの方式で閉じた外側及び内側導体で形成することができ、これは、回転対称に設計する必要はない。１つの可能な実施形態では、第１の励振コイルへのリードは、いずれの実質的なクリアランスもなく互いに対してもたれかかる平坦ワイヤとして形成され、すなわち、それらは又は互いに又はそれらの間で互いに接触するそれらの絶縁シージングは、僅かな間隙、特に空隙を定める。ここでの「僅かな」は、間隙の結果としてリードに生じる追加の自己誘導がドライブのその作動条件に依存する最小自己誘導と比較して小さいように理解されるものとする。
【００５１】
１つの可能な実施形態では、電気力学ドライブは、円筒形エンクロージャを含み、これは、繊維複合材料で製造され、かつ炭素繊維の第１の織物、１又は２以上の電気絶縁材料、例えば、ガラス、ＨＰＰＥ、又はアラミド繊維の第２の織物、並びにプラスチック母材料を含み、いわゆるトロイダル磁心の方式で、電気絶縁織物は、交替電磁場によって生じた渦電流を減衰するために炭素繊維織物の巻線間の絶縁中間層として使用される。
【００５２】
１つの可能な実施形態では、電気力学ドライブは、短絡アーマチュアによって駆動されるピストンを含む。従って、短絡アーマチュアは、好ましくは、ピストンと剛的に接続され、及び／又はそれと一体に形成することができる。しかし、短絡アーマチュアは、ドライバを含むこともでき、それによってそれは、短絡アーマチュアとは別に形成されたピストンに対して作用する。
【００５３】
ピストンの前端は、電気力学ドライブの起動時に、ドライブによって実施される仕事を伝達するようにターゲットに対して作用することができる。
【００５４】
好ましくは、ピストンは、少なくとも一方の側に、好ましくはその前端の領域にシフト可能に装着される。
【００５５】
好ましくは、ドライブは、ドライブの起動後にピストン及び／又は短絡アーマチュアをストローク開始位置に戻す短絡アーマチュア及び／又はピストンのためのリセットデバイスを含む。好ましくは、リセットデバイスは、ストローク開始位置でそれが保持力をピストン及び／又は短絡アーマチュアに対して及ぼすように設計される。１つの可能な実施形態では、リセットデバイスは、永久磁性的に作動する。
【００５６】
本発明の１つの可能な態様では、ピストンの後端は、フレーム内の開口部を通過する。好ましくは、この場合のドライブは、リセット力をピストンの後端に対して及ぼす短絡アーマチュア及びピストンのためのリセットデバイスを含む。
【００５７】
ピストンは、単一部品又は多重部品設計のものとすることができる。多重部品設計では、個々の部品は、必然的にではなく好ましくは互いに剛的に接続される。
【００５８】
リセットデバイスは、好ましくは、短絡アーマチュアから離れる方向に向くフレームの側に配置される。
【００５９】
リセットデバイスは、ピストンの後端のための滑り軸受を含むことができる。
【００６０】
好ましくは、リセット力は、永久磁性的に生成される。
【００６１】
好ましくは、ピストンの後端は、軟磁性材料で形成される。ピストンの後端は、シートスタックで製作される及び／又は渦電流を低減するためにスロットを含むことができる。
【００６２】
更に、リセットデバイスは、リセット力を生成する１又は２以上の永久磁石を含むことができる。特に、リセットデバイスは、好ましくは、複数の永久磁性要素及び／又は永久磁性領域の配置を含み、これは、ピストンの後端が配置の切り欠きの中に益々移動するという点でピストンが戻された時に閉じる磁性回路を形成する。特に、配置は、中空円筒の形状を有することができる。
【００６３】
配置は、更に、Ｈａｌｂａｃｈアレイを形成することができる。
【００６４】
本発明の１つの可能な態様では、ドライブは、コンデンサアセンブリ及びスイッチを含み、スイッチを閉じることにより、コンデンサアセンブリの放電が励振コイルを通じて達成され、それによって短絡アーマチュア及びピストンは、それらのストローク開始位置から出るように加速される。
【００６５】
本発明は、上述のように、電気力学ドライブを有する釘締めデバイスを更に含む。特に、釘締めデバイスの電気力学ドライブは、励振コイル、軟磁性フレーム、及び軸に沿って移動可能に装着された短絡アーマチュアを含み、フレームは、少なくとも１．０Ｔの飽和磁束密度及び／又は１０6Ｓ／ｍよりも大きくない有効比導電率を有する。好ましくは、励振コイル及び／又はフレームは、張力緩和のための少なくとも１つの手段を含む。
【００６６】
好ましくは、ドライブは、更に、詳細に上述したように設計される。
【００６７】
本発明による用語「釘」は、いずれの特定の形状も要求しない。特に、用語「釘」は、ボルト、ピンなども含む。しかし、特に、本出願の意味での釘は、ピン形状部分を有する締結要素である。
【００６８】
１つの可能な実施形態では、手持ち式釘締めデバイスは、
−少なくとも１つのコンデンサと、
−少なくとも１つの電気化学エネルギストレージデバイスと、
−少なくとも１つのスイッチングコンバータと、
−少なくとも１つのスイッチと、
−ピストンと、
−短絡アーマチュアとピストンとのためのリセットデバイスと、
を更に含み、釘を締結するために、コンデンサは、最初に、スイッチングコンバータを用いて電気化学エネルギストレージデバイスから電気エネルギで充電され、その時点で、スイッチは、励振コイルを通じてコンデンサの放電を達成するために閉じられ、その時点で、短絡アーマチュア及びピストンは、それらのストローク開始位置から出るように加速され、ピストンは、釘を打ち込むのに使用され、その後に、リセットデバイスは、ピストン及び短絡アーマチュアをストローク開始位置の中に戻すのに使用される。
【００６９】
１つの可能な実施形態では、適正起動作動中の電気力学ドライブは、電気ドライブの容積に各々基づいて１００ｋＮ／ｌよりも大きい、好ましくは２００ｋＮ／ｌよりも大きい、より好ましくは３００ｋＮ／ｌよりも大きい最大力密度を有する。最大力密度は、短絡アーマチュアに作用する最大ローレンツ力及び電気力学ドライブの容積の商であるように理解される。電気力学ドライブは、フレーム、励振コイルの巻線空間、及びフレームの中に下がる短絡アーマチュアの一部を含み、特に、それらから構成される。
【００７０】
好ましくは、電気力学ドライブの容積は、従って、フレーム、励振コイルの巻線空間、及びフレームの中に下がる短絡アーマチュアの一部の容積の合計として定義される。短絡アーマチュアがフレームの中に下がらない時に、電気力学ドライブの容積は、従って、好ましくは、フレームと励振コイルの巻線空間との容積の合計として定義される。
【００７１】
１つの可能な実施形態では、電気力学ドライブは、適正起動作動中に力最大値での最大力密度を有する。
【００７２】
１つの可能な実施形態では、手持ち式釘締めデバイスは、デバイスをリセットする時、すなわち、短絡アーマチュア及びピストンをそれらのそれぞれのストローク開始位置の中に戻す時に短絡アーマチュアと第１の励振コイル間の機械的接触が防止されるように形成され、又はそのような追加デバイスを含む。
【００７３】
好ましくは、特にフレームを通過するスクリューの形態の短絡アーマチュア及び／又はピストンのための調節可能ストップが与えられる。特に、フレーム又はフレームの張力緩和は、ストップとして機能する。
【００７４】
１つの可能な実施形態では、釘締めデバイスの締結エネルギ、特に、１又は２以上のコンデンサを充電することによって達成可能な締結エネルギは、≧１０Ｊ、好ましくは≧１００Ｊ、好ましくは≧２００Ｊである。
【００７５】
少なくとも１つのコンデンサは、好ましくは、フィルムコンデンサ又はホイルコンデンサである。
【００７６】
１つの可能な実施形態では、手持ち式釘締めデバイスは、締結デバイス自体のハウジングによって少なくとも部分的にそのハウジングが形成される電解コンデンサ又はフィルム又はホイルコンデンサを含み、コンデンサのリールは、従って、それ自体の完全なハウジングを有していない。
【００７７】
好ましくは、締結デバイスのハウジングは、リールの領域では金属性であり、より好ましくは、アルミニウム合金で製造される。
【００７８】
リールの領域では、締結デバイスのハウジングは、特にヒートシンクの方式で構造化された面を有することができる。
【００７９】
１つの可能な実施形態では、電気化学エネルギストレージデバイスは、蓄電池である。
【００８０】
１つの可能な実施形態では、少なくとも１つスイッチは、半導体スイッチ、特にサイリスタである。
【００８１】
本発明は、上述のような電気力学ドライブによって駆動される電気ハンマーを更に含む。
【００８２】
本発明は、上述のような電気力学ドライブによってその衝撃機構が駆動されるか又はそのようなドライブによって形成される衝撃ボール盤を更に含む。
【００８３】
本発明は、上述のような電気力学ドライブを有するアーク故障保護デバイスを更に含む。
【００８４】
１つの可能な実施形態では、アーク故障保護デバイスは、少なくとも１つの電気絶縁板及び少なくとも１つの金属導電ボルトを更に含み、本発明による電気力学ドライブは、外部手段による偶発的アークの検出が、ボルトが電力を偶発的アークから引き出すために電気絶縁板を突破して単相又は多相短絡を達成するように電気力学ドライブによって加速されるという事実に至るように起動される。
【００８５】
本発明は、上述のような電気力学ドライブを含んで電気スイッチを開くのに使用される電気スイッチ、特に電力スイッチを更に含む。
【００８６】
本発明は、そのような電気スイッチを含む短絡電流制限器を更に含む。短絡の検出の結果として電気力学ドライブがスイッチを開くように起動されること、及び１又は２以上のインダクタンス及び／又はヒューズが電気スイッチと並列に電気的に接続されることが規定される。短絡の検出は、外部手段によって達成することができる。そのような手段は公知である。
【００８７】
本発明は、上述のようなスイッチを有する直流回路を分離するための混成スイッチを更に含み、混成スイッチは、２つの並列電流路を含み、第１の電流路は、オフにされる電流が第２の半導体スイッチを含む第２の電流路に主として方向を変えるという主旨で、第１の半導体スイッチを用いて遮断することができ、第１の半導体スイッチは、第２の半導体スイッチよりも低い遮断容量及び小さい直列抵抗を有し、本発明によるスイッチは、第１の半導体スイッチと直列に及び第２の半導体スイッチと並列に接続され、半導体スイッチは、好ましくはそれ自体が直列及び／又は並列接続の形態のいくつかの個々の半導体スイッチから構成される。
【００８８】
ここで例示的実施形態及び図面を参照して本発明を詳細に以下に説明する。
【図面の簡単な説明】
【００８９】
【図１】本発明によるドライブの第１の例示的実施形態を通る縦断面図である。
【図２】単に回転対称構成の半分を示す縦断面での本発明によるドライブの第２の例示的実施形態の詳細図である。
【図３】軟質磁気フレームが図１に示す例示的実施形態に構成されたセグメントを通るいくつかの軸方向断面を示す図である。
【図４ａ】リセットデバイスを有する本発明によるドライブの別の例示的実施形態を示す図である。
【図４ｂ】リセットデバイスを有する本発明によるドライブの別の例示的実施形態を示す図である。
【図４ｃ】リセットデバイスを有する本発明によるドライブの別の例示的実施形態を示す図である。
【図４ｄ】リセットデバイスを有する本発明によるドライブの別の例示的実施形態を示す図である。
【図５】本発明による釘締めデバイスの例示的実施形態を示す図である。
【発明を実施するための形態】
【００９０】
以下の説明は本発明のより深い理解をもたらす役目をし、専ら例として見なされ、決して制限的な意味で理解されないものとする。
【００９１】
ＡＢＢの上述の具体的な用途とは対照的に、例示的実施形態において「磁束集線装置」として構成されたフレーム（１０）は、少なくとも１．５Ｔの飽和磁束密度及び１０6Ｓ／ｍよりも大きくない有効導電率を有する軟磁性複合材料（以下、「軟磁性複合物」に対するＳＭＣ）及び／又は１又は２以上の軟磁性シートスタックで形成される。好ましくは、フレームは、比導電率＜１０4Ｓ／ｍ、飽和磁束密度Ｂs≧１．９Ｔ、及び最大相対透磁率μr≧５０を有するＳＭＣで形成される。更に、強度要件に関して、フレーム材料は、高い降伏点を有するように選択しなければならない。本発明の達成に適切なＳＭＣは、銘柄名Ｓｏｍａｌｏｙの下で公知であり、かつ利用可能である。
【００９２】
従来的に、ＳＭＣは、既知の磁鉄コバルト合金（例えば、Ｖａｃｏｆｌｕｘ）の高い飽和磁束密度に達していない。しかし、本発明によって目指し、本発明が目的とする高い動特性に鑑みて、この事実は、殆どの個々の場合に、ＳＭＣ内の渦電流の有効減衰よりも遥かに重要ではなくなっている。
【００９３】
公知の軟磁性合金を用いると（固体材料として）、動特性及び効率のような本発明によって望ましい特性は、十分に達成することができない。
【００９４】
本発明の別の本質的態様は、駆動コイル及び／又はフレームの張力緩和にあり、その理由は、本発明による望ましい特性は、非常に高い磁気圧力時にのみ達成することができ、それによって強い構造張力が各起動作動においてドライブ上に生じるからである。いわゆるマルエージング鋼で製造されたエンクロージャ（２０）の他に、例えば、特に、繊維複合体もフレーム（１０）の張力緩和に対して考慮することができる。コイル（３０）の張力緩和に関して、高強度繊維又は織物をコイルの導体を用いて埋め込むか、又は高強度繊維又は布地をコイルの導体に巻き付けることが可能である。繊維材料は、引張強度の他に、好ましくは、導体自体より高い引張係数を有するように選択される。最後に、コイルは、埋め込む又はオーバーモールドすることができ、埋込化合物は、好ましくは、一方でポリマーに対してかなり高い固有の強度、高い降伏点、及び高引張係数を有し、他方でできるだけ強固に導体、又は塗面、並びに繊維材料自体に付着するように選択される。ドライブがコイルの有意な熱的負荷を生じる条件下で作動される場合に、埋込化合物も高い熱伝導率を有するように選択され、この目的のために、埋込化合物自体は、例えば、充填剤としてＡｌＮで相応に充填することができる。
【００９５】
コイルは、恐らくは、冷却デバイス、特に、能動的又は受動的な液冷を備えることもでき、及び／又は軟磁性フレームへのコイルの確実な熱接続をもたらすことができ、これは、次に、それ自体ヒートシンクと熱的に接続することができる。
【００９６】
最後に、本発明を具体的な例を参照して説明する。図１及び図２は、回転可能に軸（１）に関して対称形の軟磁性フレーム（１０）を有するドライブの第１及び第２の例示的実施形態の縦断面を示し、軟磁性フレーム（１０）は、公知のポット磁石のフレームと形状が類似のものであり、円形の下縁、マルエージング鋼（２０）の張力緩和エンクロージャ、フレーム（１０）と直接的又は間接的に当接する第１の励振コイル（３０）を伴い、第１の励振コイル（３０）は、例えば、繊維強化された平坦ワイヤで形成され、埋め込まれ、表皮作用を制御するために各個々の巻線は、平行に接続されたいくつかの薄い（平坦な）ワイヤのストランドと、高強度（硬化可能な）アルミニウム合金（例えば、７０６８）で製造され、コイルに対面する側に優れた導電性の（ここでは、例えば）純粋なＣｕの電気的に非常に伝導性のリング（４１）が組み込まれている短絡アーマチュア（４０）との方式で形成することができる、
【００９７】
これに代えて、リング（４１）（純金属と比較して実質的に増大した強度を有するが、かなり良好な導電率を有するＣｕ又はＡｌ又はＣｕ合金又はＡｌ合金の）を密着的に又は着実に接続することができ、例えば、リング（４１）は、残りの短絡アーマチュア（４０）と同じ内側及び外側半径を有し、その側の短絡アーマチュア（４０）は、第１の励振コイル（３０）に対面する。
【００９８】
具体的なドライブの全ての強度要件の遵守は、好ましくは、計算機シミュレーション（ＦＥＭ）の助けを借りた用途の場合に対して決定されるものとする。
【００９９】
図１では、円筒ジャケットの形態のエンクロージャ（２０）は、軸方向の長さ全体に沿ってフレーム（１０）の円周を取り囲む張力緩和として使用される。図２では、エンクロージャ（２０）は、他方で、底側領域を円筒ジャケットに加えて有する。
【０１００】
その外周上で、短絡アーマチュアは、滑り軸受（４２）を有し、滑り軸受（４２）と共に短絡アーマチュアは、ドライブのハウジング（５０）内に軸方向に移動可能に装着される。短絡アーマチュア（４０）は、軸方向に延びるピストン（４５）に接続され、ピストン（４５）は、短絡アーマチュアによって生成された力の伝達に寄与する。短絡アーマチュアから進んで、ピストンは、ハウジングの内部を通って延び、ピストンガイド（４９）を通って延びる。好ましくは、ピストン（４５）はまた、摺動的に装着される。
【０１０１】
好ましくは、ドライブが戻ると第１の励振コイル（３０）上への短絡アーマチュア（４０）の（堅固な）締結を安全に防止し、従ってこのコイルの損傷の可能性を回避するデバイス又は設計が使用される。
【０１０２】
ハウジングは、ドライブが対応するＥＭＣ判断基準を満たすシールドとして機能することができる。好ましくは、従って、ハウジングは、アルミニウム及び／又はアルミニウム合金で製作される。
【０１０３】
特に、合金７０６８のような硬化可能アルミニウム合金は、高い導電率を高い機械的強度及び十分な耐食性と組み合わせるので硬化条件で使用することができる。
【０１０４】
更に、シールドとして、ドライブはまた、高い飽和分極を有する必要がある高透磁率軟磁性材料（例えば、μ−金属）の好ましくは薄い外側エンクロージャを含むことができる。特に本明細書で考慮することができるものは、飽和磁束密度＞１Ｔ（及び取りわけ＞１．２Ｔ）を有する軟磁性金属ガラス又はナノ結晶材料のμ金属よりも明確に優れたホイルである。
【０１０５】
図１では、ピストン（１０）の又はフレーム（１０）に対面する短絡アーマチュア（４０）の面（４３）は、従って、ストローク開始位置における短絡アーマチュアの位置が定義されるストップとして設計される。ストップ（４３）は、フレーム（１０）と協働することができる。
【０１０６】
好ましくは、しかし、ストップ（４３）は、短絡アーマチュア（４０）の底部側端部又はリング（４１）の励振コイル（３０）までの距離をストローク開始位置に調節することができる調節要素と協働する。例えば、スクリューは、フレーム（１０）のボア（１４）を通って案内することができ、調節可能なカウンタ−ストップとして機能することができる。それによって短絡アーマチュア（４０）の底部側端部又はリング（４１）がストローク開始位置に戻される時に励振コイル（３０）を損傷することを防止することができる。
【０１０７】
図３は、フレーム（１０）を（円形セグメントのフレームの外側領域において）複数の部品で形成することができることを示し、作動において、これは、互いに対する部品のある一定の移動を提供し、それによって比較的脆性のＳＭＣの損傷を回避することができる。フレーム部品は、同様に可能であれば互いに埋め込むか又は接着結合され、ＳＭＣと化学的に適合する高い降伏点でよく付着する中実エラストマーを好ましくは埋込化合物又は接着剤として選択しなければならない。
【０１０８】
図１に概略的に示す第１の励振コイル（３０）までのリード（５２）は、フレームの使用可能な磁気断面がこれらの回避不能なリードによって可能な限りほとんど損なわれないように達成しなければならない。ドライブを作動するために、コンデンサ又はコンデンサバンク（５８）は、スイッチ（５６）、特にサイリスタによって励振コイル（３０）を通じて放電することができる。更に、惰性走行ダイオードが、コンデンサ又はコンデンサバンクの接続（５９）間に設けられる。特に、ホイルコンデンサ及び／又はフィルムコンデンサが使用される場合に、コンデンサ又はコンデンサバンクも恐らくは割愛することができる。
【０１０９】
コントローラ（５５）は、スイッチ（５６）を起動し、スイッチングコンバータ（５４）を通してコンデンサ又はコンデンサバンクの充電を更に実行する。
【０１１０】
スイッチ（５６）は、好ましくは半導体スイッチ、特に、サイリスタである。
【０１１１】
重量要件を満たすために、最高要求もスイッチングコンバータに課される。好ましくは、スイッチコンバータは、半導体スイッチ、特に、大きいバンドギャップ（例えば、ＳｉＣ  ＭＯＳＦＥＴ）及び良質の磁心材料（結局、個別の空隙を有する軟磁性金属ガラス及び／又はナノ結晶合金の磁心）を有する半導体スイッチを含む。
【０１１２】
いずれにしても通常は非常に少ない数の巻回を考慮すると、低いコイルの自己誘導が短絡アーマチュアによって更に短絡されるので、この構成の初期インダクタンスは非常に低く、これは、そもそも非常に大きい動特性をもたらす。サイリスタをあまりに高い電流上昇率ｄｌ／ｄｔから保護するために、例えば、飽和高透磁率トロイダル磁心を通してリードをドライブに案内すること（「磁気スイッチ保護」）により、飽和インダクタンス（いわゆる「可飽和リアクター」）を導入することが推奨される場合がある。そうでない場合に、全ての構成要素のインピーダンスを本発明によるドライブの外側配線の設計において考慮に入れる必要がある。励振コイルの巻回数は、電圧供給源のインピーダンス及び機械荷重の両方に対して調節する必要があり、機械荷重は、例えば、短絡アーマチュア、及びピストンのような短絡アーマチュアと恐らくは接続された更なる部品の質量によって形成される。所与の一定容量及び巻回数では、本発明によるドライブの電気的な効率は、加速される特定の質量で及びドライブに接続された機械荷重で最大値を有する。多くの場合に、図中に開示するドライブ幾何学的形状は、ドライブの最適化を行う必要がなく、非常に動的なドライブをこの点で用途に対して直接に設計するのに適している。一般的に、ドライブは、励振コイル（３０）が最初に短絡アーマチュア（４０）を反発するという点で作動し、関連の「力定数」は、距離の増大と共に急速に減少する。すなわち、所与の信号では、反発するローレンツ力は、励振コイル（３０）と短絡アーマチュア（４０）の間の距離が小さいほど増大する。従って、ストローク開始位置では、励振コイル（３０）及び短絡アーマチュア（４０）は、互いに対して可能な限り近くに配置しなければならない。
【０１１３】
電解コンデンサがコンデンサとして使用される場合に、コンデンサの激しい加熱が、比較的高い内部抵抗に起因して起動作動中に発生する可能性がある。この問題を軽減するために、電解コンデンサをまだ起動作動中にオフにすることを含むことができる。これは、好ましくは、半導体スイッチを遮断することにより、又は特に惰性進行ダイオードの形態の惰性進行可能性によって達成される。
【０１１４】
電解コンデンサのオーム抵抗／実内部抵抗は、コイルの抵抗にほぼ対応する。好ましくは、電流最大値に到達した後に電解コンデンサの放電を遮蔽するように規定され、一方、電解コンデンサは、まだ部分充電状態であり、電解コンデンサからの静電エネルギの殆どは、ドライブセクションにおいて磁場エネルギに変換済みである。
【０１１５】
磁場とリンクした電流は、更に、かなり低いインピーダンスの惰性進行ダイオード又は別の低い抵抗の惰性進行デバイスにわたって流れることができ、別の低い抵抗の惰性進行デバイスは、好ましくは、電解コンデンサ自体よりも低い有効損失抵抗を有する。このようにして、磁場エネルギは、電解コンデンサでは、例えば、電解液中で熱に不要に変換されない。
【０１１６】
従来のサイリスタは、直接にオフにすることができない。これに代えて、ＧＴＯ、ＩＧＢＴ、ＩＧＣＴ、ＭＣＴを使用することができ、これらは、オフにすることができるが、比較的高い費用も発生する可能性がある。しかし、同じく可能であることは、同時にオフにするか又は電流の極性をＳＣＲ１のゲートに変えることによる特に比較的小さい第２のサイリスタ（「補助バルブ」）及び（小さい）スロットルによるサイリスタ（ＳＣＲ１）での電流方向の短い逆転である。
【０１１７】
しかし、好ましくは、ホイルコンデンサ及び／又はフィルムコンデンサが使用され、これは、低い内部抵抗に起因してそのようなオフ切り換えが不要である。
【０１１８】
ホイル及び／又はフィルムコンデンサは、常に依然として電解コンデンサを使用して達成することができるものよりも低いエネルギ密度を有するが、ホイル及び／又はフィルムコンデンサは、異常に低い電気直列抵抗（ＥＳＲ）を有することができる。この低い電気直列抵抗は、効率をかなり増大させることができる。
【０１１９】
ホイル及びフィルムコンデンサの別の利点は、双極であるということに見ることができる。それらは、極性が逆転されるのに耐えることができ、その結果、惰性進行ダイオードは、恐らくは割愛することができる、これは、重量の関連の低減に起因して、特に手持ち式デバイスの場合に助けになる。
【０１２０】
並列に接続された電解コンデンサ及びホイル／フィルムコンデンサの組合せが同様に可能である。
【０１２１】
ホイル／フィルムコンデンサでは、１つの均衡、すなわち、エネルギ密度対ＥＳＲを行わなければならない。ここで、最適条件（重量／効率−用途事例に依存する）は、数値的に決定しなければならない。
【０１２２】
ドライブは、依然として、ピストン（４５）及び／又は短絡アーマチュア（４０）を戻すためのデバイス（８０）を含み、これは、図１では単にボックスとして抽象的な形に示されており、ここで、図４ａ〜図４ｄを参照して例示的実施形態によって再度説明する。図４ｃ及び図４ｄは、２つの端部位置におけるドライブの移動の軸に沿った断面図でリセットデバイスを示している。
【０１２３】
ピストン戻りは、例えば少なくとも１つのストローク長だけのピストンの移動方向に沿った空間延長を有する軟磁性要素（１２０）によって例えば達成することができ、軟磁性要素（１２０）は、好ましくは、ロッド形状に、例えば、ロッド形状のシートスタック又はスロットを有する軟磁性ロッドに設計される。軟磁性要素（１２０）は。ピストンに接続され、好ましくは剛的に接続され、及び／又はピストンの後端を形成する。軟質磁気要素は、好ましくは、フレームを通過する軸方向の開口部（１４）を通って延び、例えば、ドライブの底面の背後に配置される。
【０１２４】
軟磁性要素に沿って、永久磁石（ＰＭ）の配置（１００）が存在し、これは、軟磁性要素（１２０）が配置の中に益々移動するという点でピストンが戻ると益々閉じる磁性回路を形成する。
【０１２５】
永久磁石の磁束は、完全に又は主として軟磁性部品に移動方向に対して垂直に案内される。永久磁石は、そうでなければ必要な「後方イオン」を低減し、従って、重量を低減し、依然として最小限の漂遊磁場をもたらすために、いわゆるＨａｌｂａｃｈアレイの方式で形成することができる。
【０１２６】
図４ａ及び図４ｂでは、そのような配置の２つの異なる態様が示されており、矢印は、永久磁性要素及び／又領域の分極の方向を示している。これらは、各々がＨａｌｂａｃｈアレイの形態にある配置である。
【０１２７】
Ｈａｌｂａｃｈアレイを用いて、特に図４ｂに従って、例えば、永久磁石によって生成された磁束を移動可能な軟磁性要素（１２０）を通して主として横断方向に案内することが可能である。従って、水平作動式ドライブ内の移動方向に沿って、例えば、「磁力線」は、下から「鉄」に入り、上部で「鉄」から出る。次に、（磁力線に沿った、すなわち、移動方向に対して直交方向の）鉄の横移動により、磁場エネルギの小さい変化が生じるだけであり、こういう理由で、そのような配置は、横断方向の磁力からほとんど完全に自由であり、横断方向の磁力は、そうでなければ、例えば、軸受、例えば、軟磁性要素を案内する滑り軸受に負荷を与えると考えられる。
【０１２８】
永久磁石の配置内で、滑り軸受（１１０）が軟質磁気要素に対して設けられる。永久磁石の配置は、好ましくは、軟質磁気要素及び／又は滑り軸受を環状に取り囲み、及び／又は中空円筒の形状を有する。図５は、ここでは、図１及び／又は図４に詳細に示すような本発明によるドライブを有する本発明による釘締めデバイスの例示的実施形態を示している。従って、電気力学ドライブに関して上述の図を参照する。
【０１２９】
ドライブの構成要素の他に、すなわち、第１の励振コイル（３０）、軟磁性フレーム（１０）、軸（１）に沿って移動可能に装着された短絡アーマチュア（４０）、及び張力緩和（２０）の他に、手持ち式釘締めデバイスは、少なくとも１つのコンデンサ（５８）、特に少なくとも１つの電気化学エネルギストレージデバイス（５３）の形態の蓄電池、スイッチングコンバータ（５４）、スイッチ（５６）、ピストン（４５）、及び短絡アーマチュア（４０）及びピストン（４５）のための同じく単に概略的に示すリセットデバイス（８０）を更に含む。釘（７０）を締結するために、コンデンサ（５８）は、最初に、スイッチングコンバータ（５４）によって電気化学エネルギストレージデバイス（５３）から電気エネルギで充電され、その時点で、スイッチ（５６）は、励振コイル（３０）を通してコンデンサ（５８）の放電を達成するために閉じられ、その時点で、短絡アーマチュア（４０）及びピストン（４５）は、ストローク開始位置から出るように加速され、ピストン（４５）が釘（７０）を打ち込むのに使用され、その後に、リセットデバイス（８０）は、ピストン（４５）及び短絡アーマチュア（４０）をストローク開始位置の中に戻すのに使用される。
【０１３０】
釘の打ち込みは、例えば、釘締めデバイスの前側に配置されたマガジン（６８）内に設けられた釘（７０）に衝突するピストン（４５）の先端によって達成される。
【０１３１】
釘締め作動は、例えば、キー（６３）を押すことによってトリガスイッチ（５２）を起動することによってトリガされる。しかし、コントローラ（５５）は、釘締めデバイスの先端が接触した時に釘締め作動のトリガのみを可能にし、接触は、接触スイッチ（６６）を通して検出される。コントローラ（５５）は、接触スイッチ（６６）及びトリガスイッチ（５２）に問い合わせて、スイッチングコンバータ（５４）及びスイッチングコンバータ（５６）を起動する。
【０１３２】
釘締めデバイス（６０）は、ピストンの運動エネルギを吸収するのに、かつ恐らくは釘を仕事の有意な消費なしに締結することができる場合にデバイスの破壊を防止するのにも適する緩衝器（６５）を更に含む。本発明の場合に、緩衝器は、ハウジング（５０）の出口に設けられる。
【０１３３】
ドライブの他に、釘締めデバイスのハウジング（６１）は、更に、本発明の場合にドライブの背後に軸方向にハウジングに配置されたコンデンサ（５８）を同じく取り囲む。
【０１３４】
ハウジングは、コンデンサの外側ハウジングとして機能することができ、従って、コンデンサは、それ自体のエンクロージャは不要である。コンデンサ（５８）の領域では、ハウジングは、好ましくは、高い熱伝導率及び従ってコンデンサの良好な冷却を保証するために金属で製作される。
【０１３５】
釘締めデバイスのハウジングは、キー（６３）がその上に配置されたハンドル領域（６２）を含む。特に蓄電池の形態の電気化学エネルギストレージデバイス（５３）は、好ましくは、電気化学エネルギストレージデバイスを交換することができるように残りのハウジングと解除可能に接続可能である個別のハウジング部品（６４）に配置される。
【符号の説明】
【０１３６】
１０  フレーム
２０  エンクロージャ
４０  短絡アーマチュア
４５  ピストン
５０  ハウジング
【図１】
2020501900.tif 000003
【図２】
2020501900.tif 000004
【図３】
2020501900.tif 000005
【図４ａ）】
2020501900.tif 000006
【図４ｂ）】
2020501900.tif 000007
【図４ｃ）】
2020501900.tif 000008
【図４ｄ）】
2020501900.tif 000009
【図５】
2020501900.tif 000010
【国際調査報告】
2020501900.tif 000011
2020501900.tif 000012
2020501900.tif 000013
2020501900.tif 000014
2020501900.tif 000015
2020501900.tif 000016